(57)【要約】【課題】親機不在の状態なった場合に子機側のサーチ周期を通常より長い周期に変更して消費電力を抑制するようにしたデジタルコードレス電話システムにおいて、親機不在の状態が解消された場合に通常の周期で同期が取れるようにする。【解決手段】子機２０は、電源部２０７への充電電力を供給し充電が開始されことを検出する充電部２５０と、親機不在時に、所定の期間親機をサーチする第１の周期を設定するタイマーと、前記第１の周期より長い第２の周期を設定するタイマーとを含むタイマー２１１と、を備え、親機が不在状態になった場合には前記第１の周期で親機サーチを行い、所定時間経過後は前記第２の周期で親機サーチを行い、前記充電部２５０により子機２０への充電開始が検出された場合、前記第１の周期で親機サーチを行う。【選択図】図２
2007288598.tif 000002
【特許請求の範囲】
【請求項１】
親機と子機を備え、親機が送信する同期要求信号を所定の周期で受信して親機サーチを行い、親機を検出するデジタルコードレス電話システムにおいて、
前記子機は、電源部への充電電力を供給し充電が開始されことを検出する充電部と、親機不在時に、所定の期間親機をサーチする第１の周期を設定するタイマーと、前記第１の周期より長い第２の周期を設定するタイマーとを含むタイマーと、を備え、親機が不在状態になった場合には前記第１の周期で親機サーチを行い、所定時間経過後は前記第２の周期で親機サーチを行い、前記充電部により子機への充電開始が検出された場合、前記第１の周期で親機サーチを行うように構成したことを特徴とするデジタルコードレス電話システム。
【請求項２】
同期要求信号を送信する親機と無線によって接続されるデジタルコードレス電話システムを構成する子機であって、親機が送信する同期要求信号を所定の周期で受信して親機サーチを行い、親機を検出するデジタルコードレス電話機において、
前記デジタルコードレス電話機は、電源部への充電電力を供給し充電が開始されことを検出する充電部と、親機不在時に、所定の期間親機をサーチする第１の周期を設定するタイマーと、前記第１の周期より長い第２の周期を設定するタイマーとを含むタイマーと、を備え、親機が不在状態になった場合には前記第１の周期で親機サーチを行い、所定時間経過後は前記第２の周期で親機サーチを行い、前記充電部により子機への充電開始が検出された場合、前記第１の周期で親機サーチを行うように構成したことを特徴とするデジタルコードレス電話機。
【発明の詳細な説明】
【技術分野】
【０００１】
本発明は、親機から定期的に送信している同期要求信号を、子機側に設定されるサーチ周期において受信して同期を確立するデジタルコードレス電話機およびデジタルコードレス電話システムに関するものであり、特に停電などにより親機から同期要求信号の送信が停止して親機不在の状態なった場合に子機側のサーチ周期を通常より長い周期に変更するようにされたデジタルコードレス電話機およびデジタルコードレス電話システムにおいて、子機充電開始、あるいは、デジタルコードレス電話システムの電源オンなどの電源状態検出により子機におけるサーチ周期を通常のサーチ周期に復帰するようにしたデジタルコードレス電話機およびデジタルコードレス電話システムに関するものである。
【背景技術】
【０００２】
固定電話機（アナログ電話機）として、近距離無線通信機能を有する親機と子機からなり、公衆回線網から親機に着信した通話を子機に接続して通話し、あるいは、子機から発信した通話を、親機経由で公衆回線を介して通信相手と通話するようにしたコードレス電話機が提供されている。このようなコードレス電話機は一般の家庭やオフィスなどにおいて多くの利用者によって使用されている。
【０００３】
最近ではアナログのコードレス電話機に代わるものとしてデジタルコードレス電話機、デジタルコードレス電話システムが提供されておいる。デジタルコードレス電話システムは、一般には、パーソナルハンディフォン（ＰＨＳ）と言われるものであり、このようなデジタルコードレス電話機は、家庭や事務所に設置している親機や、屋外に設置されている公衆基地局と通信する自営モード・公衆モードがあるが、これ以外に子機同士でトランシーバのように直接通信する子機間通信モードがある。
【０００４】
デジタルコードレス電話機システムは、主装置（交換機）と、複数の親機と、さらに複数の子機とからなり、主装置（交換機）は、公衆電話回線網と接続し且つＩＳＤＮ回線で複数の親機と接続し、各親機は同一周波数Ｆ１を用いて送信と受信とを時間的に異ならせて子機との通信を行い、また、親機を介さず直接子機間で通信を行うこともできる。
【０００５】
このようなデジタルコードレス電話システムは、例えば、下記の特許文献１（特開平９−２００８５２号公報）にデジタルコードレス電話システムとして開示されている。このデジタルコードレス電話システムは次のように構成されている。すなわち、子機はサービス圏内にいれば、親機が定期的に送信している下り論理制御チャネルの構造を知っていて自群の着呼信号を受信出来る状態になっている。親機は送信する全群の着呼信号内に時刻情報を設け、主装置（交換機）から受信した時刻情報を子機に報知する。これによりサービス圏内の全子機は、時刻合せをすることが可能になる。この受信時刻を基に一定時刻に限定した子機間通信呼出と待受を行う。また発側子機は下り論理制御チャネルの構造から全群の着呼信号タイミングを求め、着側子機の子機間通信呼出番号により着呼信号から経過したタイミングに限定した子機間通信呼出と待受も行い、空いている時間は親機に対する待受を行う。
【０００６】
このような、デジタルコードレス電話システムにおいてはいくつかの通信方式が知られている。例えば、ＴＤＭＡ／ＴＤＤ方式（時分割多元接続／時分割二重方式）は、１台の子機と親機との間の通信で、１チャンネル内の送信スロットＴと受信スロットＲとを、数周期に１回だけ使用し、同一チャンネル内の他の送信スロットＴと受信スロットＲとを、他の子機と親機との間の通信に使用して、１チャンネルで複数台の通信装置間の通信ができるように多重化したものである。
【０００７】
親機から各子機への同期要求信号の伝送は、所定周期毎に一定のフォーマットに従って行われる。そして、例えば何れかの子機が親機からの内線通話等で呼び出されたとき、この同期要求信号で対応する子機の個別番号などを伝送し、対応する子機を呼び出させる。そして、それぞれの子機側で親機から同期要求信号で呼び出されるのを待っている待ち受け動作時には、この同期要求信号だけを所定周期で受信するようにされる。子機が親機の送信する同期要求信号を受信するサーチ周期（親機サーチ）は、通常状態では、例えば、６０秒に１回（２０秒間サーチする）程度に設定される。
【０００８】
また、デジタルコードレス電話システムにおいて、停電が検出された場合、省電力モードで着信を待つことができるようにしたデジタルコードレス電話装置が下記の特許文献２（特開平８−１２５７４４号公報）に開示されている。
【０００９】
このデジタルコードレス電話装置は、親機にて停電を検出した場合には、待ち受け中である時、子機に対して停電メッセージを送信した後に、パワー切換スイッチを制御して、無線送受信回路部に対する内蔵電源からの電源供給を断つ。また、停電中に外線Ｌ1 、Ｌ2 からの着信があった場合には、パワー切換スイッチを制御して、無線送受信回路部に対する内蔵電源３２からの電源供給を行う。更に、停電中であっても子機からの発呼要求が受けられるようにするために、親機スイッチがＯＮされることを以て、パワー切換スイッチを制御し、無線送受信回路部に対する内蔵電源からの電源供給を行うように構成されている。
【特許文献１】特開平９−２００８５２号公報（図１）
【特許文献２】特開平８−１２５７４４号公報（図１、図３）
【発明の開示】
【発明が解決しようとする課題】
【００１０】
先に述べたように、デジタルコードレス電話システムでは、子機は親機が周期的に送信する同期要求信号を受信し、それぞれの電話機ＩＤや空きの通話チャンネルの確認をとる同期処理を行って着信待ち受けをする。このため、子機は親機が送信する同期要求信号を受信するサーチ周期（親機サーチ）を設定している。
【００１１】
ところで、停電など何らかの要因で親機からの同期要求信号が送信されなくなる場合が生じる（この状態は、親機不在の状態ともいえる）。親機不在の状態になると、子機側のサーチ周期が通常のまま設定で親機サーチを実行し続けると、子機における電力消費があり、エネルギーの無駄を生じてしまう。
【００１２】
そこで、一般的には、親機不在の状態になると、子機側では親機サーチの周期を通常の周期よりも長い周期に順次変更して子機側の電力消費を抑制する制御方法が取られる。例えば、通常の親機サーチ周期が前述したように６０秒に１回程度の設定であった場合、一定の期間親機サーチに失敗した場合、サーチ周期を順次長くしていき、１時間に１回程度の親機サーチに変更する。
【００１３】
図６は、上記のような子機と親機間で行われる親機サーチの動作シーケンスを示す図である。図６においては、停電やメインスイッチ切断などにより親機電源がオフになり親機不在状態になり、その後電源が復旧あるいはメインスイッチ投入により親機の電源がオンになった場合の親機サーチの動作シーケンスを示すシーケンス図である。メインスイッチの切断、投入は例えばオフィスのメイン電源を切断、投入する場合であり、夜間オフィイスが無人状態になる場合に電話システムの電源を切断して電力消費を抑制するために行われることもある。
【００１４】
図６に示すようにイベントＥ１において停電やメイン電源切断などにより親機の電源がオフされた場合、子機はイベントＥ２において充電が停止され、内蔵充電電池により動作する。そして、子機はタイマーＢ１により所定の周期ごとに親機サーチ（親機が送信する同期要求信号の受信）を試みる。これを所定回数繰り返し所定回数経過しても（所定の時間経過しても）同期要求信号を受信できない時は、タイマーＢ１よりも長い時間をカウントするタイマーＢ２によって親機サーチの間隔を長くする。このようにすれば子機の電力消費を抑制することができる。
【００１５】
イベントＥ３において、停電が復旧し、あるいは、メイン電源が投入され、親機の電源がオンされると親機は同期要求信号の送出（同期要求）を再開する。そして子機はイベントＥ４において充電を開始する。しかしながら子機においてはイベントＥ１の発生により親機サーチの間隔がタイマーＢ２による間隔になっているので、イベントＥ４発生後（イベントＥ３発生後）直ぐに親機不在状態が解消されたことを知ることができない。そしてタイマーＢ２により設定された時間になった時点で親機サーチを行い、親機からの同期要求信号を受信した時点で初めて親機不在状態が解消されたことを知り、親機との間の同期を確立する（イベントＥ５，イベントＥ６）ことになる。
【００１６】
このように親機不在時に子機側において親機サーチの周期を長く変更してしまうと、親機不在の原因が解消された場合、変更した親機サーチ周期になるまで、親機不在状態が解消されたことを知ることができず、その間親機と子機の間の同期がとれていない状態が継続する。従って、この間に親機に着信があっても子機に着信接続できないという問題点が生じる。
【００１７】
本願の発明者は、上記の問題点を解消すべく種々検討を重ねた結果、停電などにより親機から同期要求信号の送信が停止して親機不在の状態なった場合に子機側のサーチ周期を通常より長い周期に変更するようにされたデジタルコードレス電話機およびデジタルコードレス電話システムにおいて、子機充電開始、あるいは、デジタルコードレス電話システムの電源オンなどの電源状態検出により子機におけるサーチ周期を通常のサーチ周期に復帰するようになせば上記の問題点を解消し得ることに想到して本発明を完成するに至ったものである。
【００１８】
すなわち、本発明は上記の問題点を解消することを課題とし、停電などにより親機から同期要求信号の送信が停止して親機不在の状態なった場合に子機側のサーチ周期を通常より長い周期に変更して消費電力を抑制するようにしたデジタルコードレス電話機およびデジタルコードレス電話システムにおいて、親機不在の状態が解消された場合に通常の周期で同期が取れるようにして着信に対応できるようにしたデジタルコードレス電話システムおよびデジタルコードレス電話機を提供することを目的とするものである。
【課題を解決するための手段】
【００１９】
前記課題を解決するために、本願の請求項１にかかる発明は、親機と子機を備え、親機が送信する同期要求信号を所定の周期で受信して親機サーチを行い、親機を検出するデジタルコードレス電話システムにおいて、前記子機は、電源部への充電電力を供給し充電が開始されことを検出する充電部と、親機不在時に、所定の期間親機をサーチする第１の周期を設定するタイマーと、前記第１の周期より長い第２の周期を設定するタイマーとを含むタイマーと、を備え、親機が不在状態になった場合には前記第１の周期で親機サーチを行い、所定時間経過後は前記第２の周期で親機サーチを行い、前記充電部により子機への充電開始が検出された場合、前記第１の周期で親機サーチを行うように構成したことを特徴とするデジタルコードレス電話システム。
【００２０】
また、本願の請求項２にかかる発明は、同期要求信号を送信する親機と無線によって接続されるデジタルコードレス電話システムを構成する子機であって、親機が送信する同期要求信号を所定の周期で受信して親機サーチを行い、親機を検出するデジタルコードレス電話機において、前記デジタルコードレス電話機は、電源部への充電電力を供給し充電が開始されことを検出する充電部と、親機不在時に、所定の期間親機をサーチする第１の周期を設定するタイマーと、前記第１の周期より長い第２の周期を設定するタイマーとを含むタイマーと、を備え、親機が不在状態になった場合には前記第１の周期で親機サーチを行い、所定時間経過後は前記第２の周期で親機サーチを行い、前記充電部により子機への充電開始が検出された場合、前記第１の周期で親機サーチを行うように構成したことを特徴とするデジタルコードレス電話機。
【発明の効果】
【００２１】
請求項１にかかる発明においては、子機は、電源部への充電電力を供給し充電が開始されことを検出する充電部と、親機不在時に、所定の期間親機をサーチする第１の周期を設定するタイマーと、前記第１の周期より長い第２の周期を設定するタイマーとを含むタイマーと、を備え、親機が不在状態になった場合には前記第１の周期で親機サーチを行い、所定時間経過後は前記第２の周期で親機サーチを行い、前記充電部により子機への充電開始が検出された場合、前記第１の周期で親機サーチを行う。
【００２２】
このような構成によれば、親機不在が所定の時間以上続いた場合、子機の消費電力を抑制することができるようになる。また、親機不在の状態が解消された場合には直ちに第１の周期（タイマーＢ１）に戻して親機サーチを行うので、親機に着信があった場合に、親機は直ぐに子機に着信接続することができるようになる。
【００２３】
また、夜間にデジタルコードレス電話システムのメイン電源をオフにして夜間消費電力を抑制するようにしておいても、夜間に第２の周期で親機サーチをしていた子機は、朝の始業時にデジタルコードレス電話システムのメイン電源が投入されれば、第１の周期で親機サーチするようになるので、親機は着信があっても直ちに子機に着信を接続させることができるようになる。
【００２４】
また、請求項２にかかる発明によれば、請求項１にかかるデジタルコードレス電話システムを構成する子機を提供することができるようになる。
【発明を実施するための最良の形態】
【００２５】
以下、本発明の具体例を実施例及び図面を用いて詳細に説明する。但し、以下に示す実施例は、本発明の技術思想を具体化するためのデジタルコードレス電話システムを例示するものであって、本発明をこのデジタルコードレス電話システムに特定することを意図するものではなく、特許請求の範囲に含まれるその他の実施形態のデジタルコードレス電話システムにも等しく適用し得るものである。
【実施例】
【００２６】
本発明の実施例にかかるデジタルコードレス電話システムは、親機１０と子機２０とからなる。図１は、親機１０の構成を示すブロック図であり、図２は子機２０の構成を示すブロック図である。
【００２７】
図１に示すように親機１０は、着信検出部１０１、回線変換部１０２、回線制御部１０３、表示部１０４、操作部１０５、ＡＣアダプタ１０６、電源部１０７、メモリ部１０８、制御部１１０、変調回路１２１、周波数シンセサイザー１２２、復調回路１２３、送信アンプ１２４、アンテナ切替部１２５、受信アンプ１２６、アンテナ１２７、ＳＰ（スピーカ）１２８、ＭＩＣ（マイク）１２９、レシーバ１３０を備えて構成され、回線変換部１０２を介して電話回線１４０に接続されている。また、親機１０は、商用電源にＡＣアダプタ１０６を介して接続され、電源部１０７から各部に電源が供給される。
【００２８】
親機１０は、アンテナ１２７により子機２０と無線通信により接続することができる。親機１０から子機２０への送信信号は、周波数シンセサイザー１２２の出力に基づいて変調回路１２１、送信アンプ１２４、アンテナ１２７を介して子機２０に送信される。子機２０から親機１０への送信信号は、アンテナ１２７を介して受信され、受信アンプ１２６で増幅され、周波数シンセサイザー１２２の出力に基づいて復調回路１２３で復調される。
【００２９】
操作部１０５はテンキーや機能キーにより構成され、親機１０から発信する場合の電話番号入力や親機１０の各種機能設定を行うものであり、表示部１０４には親機１０の操作メニューや着信表示、発信先電話番号表示などが行われる。また、スピーカ１２８、マイク１２９、レシーバ１３０は通話に使用されるものである。
【００３０】
制御部１１０は、タイマー１１１、信号検出部１１２、信号発生部１１３、ＡＤ／ＤＡ変換部１１４、信号切替部１１５、アンプ部１１６、Ｉ／Ｏポート１１７を含むＬＳＩＬＳＩで構成されている。タイマー１１１は子機に対して制御チャネル信号を送信し、同期要求をするための一定の時間間隔を設定するものである。Ｉ／Ｏポート１１７は親機１０に接続される各種の周辺機器との間の通信ポートである。制御部１１０が制御のためにデータを一時記憶したり、各種の設定を記憶したりする場合メモリ部１０８が用いられる。
【００３１】
信号検出部１１２は電話回線１４０あるいは子機２０からの信号を検出するものであり、信号発生部１１３は、同期要求信号を発生し子機２０との間の同期要求を行うものである。ＡＤ／ＤＡ変換部１１４は通話音声信号をデジタル信号からアナログ信号に変換し、あるいは、アナログ信号からデジタル信号に変換するためのものであり、これらの信号は必要に応じてアンプ部１１６で増幅される。信号切替部１１５は、通話信号における送信信号と受信信号を切替る制御を行う。
【００３２】
着信検出部１０１は回線変換部１０２を介して受信した電話回線１４０からの着信信号を検出するものであり、回線制御部１０３は回線変換部１０２を介して電話回線１４０への接続を制御するものである。これらの親機１０の構成は通常のデジタルコードレス電話システムにおける親機の構成であり、動作の詳細な説明は省略する。
【００３３】
親機１０は通常のデジタルコードレス電話システムにおける親機と同様にタイマー１１０に設定された周期で子機２０に対して同期要求信号を送信している。子機２０は、所定の周期でこの同期要求信号を受信して同期を確立している。同期が確立している状態で親機１０に着信があった場合、任意の子機に着信を接続することができるようになる。
【００３４】
一方、子機２０は、図２に示すように、表示部２０４、操作部２０５、ＡＣアダプタ２０６、電源部２０７、メモリ部２０８、制御部２１０、変調回路２２１、周波数シンセサイザー２２２、復調回路２２３、送信アンプ２２４、アンテナ切替部２２５、受信アンプ２２６、アンテナ２２７、ＳＰ（スピーカ）２２８、レシーバ２３０、充電部２５０を備えて構成され、アンテナ２２７を介して親機１０と接続される。また、子機２０は、商用電源にＡＣアダプタ２０６を介して商用電源に接続された充電部２５０（充電器）から電源部２０７に充電を行い、電源部２０７から各部に電源が供給される。
【００３５】
子機２０から親機１０への送信信号は、周波数シンセサイザー２２２の出力に基づいて変調回路２２１、送信アンプ２２４、アンテナ２２７を介して親機１０に送信される。親機１０から子機２０への送信信号は、アンテナ２２７を介して受信され、受信アンプ２２６で増幅され、周波数シンセサイザー２２２の出力に基づいて復調回路２２３で復調される。
【００３６】
操作部２０５はテンキーや機能キーにより構成され、子機２０から発信する場合の電話番号入力や子機２０の各種機能設定を行うものであり、表示部２０４には子機２０の操作メニューや着信表示、発信先電話番号表示などが行われる。また、スピーカ２２８、レシーバ２３０は通話に使用されるものである。
【００３７】
制御部２１０は、タイマー２１１、ＡＤ／ＤＡ変換部２１４、信号切替部２１５、アンプ部２１６、Ｉ／Ｏポート２１７含むＬＳＩＬＳＩで構成されている。タイマー２１１は親機１０が送信する同期要求信号を受信する周期を設定するものであり、親機２０が正常に動作し、同期要求信号を送信している場合に、一定の周期（例えば、タイマーＡで定まる時間間隔）で制御信号を間欠的に受信し、同期を確立する。
【００３８】
また、本発明においては、タイマー２１１は、タイマーＢ１で定まる第１の周期とタイマーＢ２で定まる第２の周期を監視することができ、親機２０が停電などにより電源オフになり制御チャネル信号を送信できない状態、いわゆる、親機不在状態になった場合に、当初は前記第１の周期で親機サーチ（同期要求信号）を連続して行い、所定回数親機不在状態が続いた場合に前記第１の周期より長い第２の周期で親機サーチを行うように設定されている。
【００３９】
Ｉ／Ｏポート２１７は子機２０に接続される各種の周辺機器との間の通信ポートである。制御部２１０が制御のためにデータを一時記憶したり、各種の設定を記憶したりする場合メモリ部２０８が用いられる。ＡＤ／ＤＡ変換部２１４は通話音声信号をデジタル信号からアナログ信号に変換し、あるいは、アナログ信号からデジタル信号に変換するためのものであり、これらの信号は必要に応じてアンプ部２１６で増幅される。信号切替部２１５は、通話信号における送信信号と受信信号を切替る制御を行う。
【００４０】
以上説明した子機２０の構成のうち、親機２０を介した通話接続、通話に関する各構成要素は通常のデジタルコードレス電話システムにおける親機の構成であり、動作の詳細な説明は省略する。本発明による子機２０においては、タイマー２１１に基づく親機１０のサーチ手順が異なる。以下にその詳細を説明する。
【００４１】
図３は、親機１０が正常に同期要求信号を送出している場合の子機２０との間の動作シーケンスを示す図である。図３に示すようにイベントＥ１において親機１０の電源がオンされていれば、親機１０は所定の周期で同期要求信号を子機２０に対して送信し、同期要求を行う。子機２０はイベントＥ２においてバッテリオン（充電完了）すると、タイマー２１１により設定された所定の周期で連続的に親機１０が送信している同期要求信号を受信し、同期を確立する（イベントＥ３、イベントＥ４を参照）。
【００４２】
同期が確立すると、子機２０は、タイマー２１１に設定された通常の周期（タイマーＡ）で間欠的に同期要求信号を受信して同期の確認を行う。この状態で親機１０に電話回線１４０から外線着信があると、親機１０は子機２０に対して同期・鳴動（着信鳴動）要求が行われる。すなわち、親機１０はイベントＥ５において自身の着信鳴動をさせ、イベントＥ６において子機１０も着信鳴動が行われる。
【００４３】
子機２０において着信操作が行われると、子機２０から親機１０に対して通話接続要求が送信され、親機１０が子機２０との間の通話接続を確立すると、イベントＥ７において子機２０は通話を開始することができ、外線接続された相手方電話機と子機２０との間で通話を行う。通話が終わり子機２０においてレシーバ３０をオンフックして回線の切断要求を親機１０に送信すると、親機１０は電話回線との間の接続を切断して通話を終了して、シーケンスの最初の状態に戻る。
【００４４】
次に、何らかの原因で親機１０が同期要求信号を送信できない、いわゆる、親機不在状態になった場合の親機サーチの動作手順について、図４のシーケンス図に基づいて説明する。図４に示すようにイベントＥ１において停電やメイン電源切断などにより親機１０の電源がオフされた場合、子機２０はイベントＥ２において充電が停止され、内蔵充電電池により動作する。
【００４５】
そして、子機２０はタイマー２２１に設定されたタイマーＢ１で定まる第１の周期とタイマーＢ２で定まる第２の周期を監視することができ、先ず、タイマーＢ１により定まる所定の第１の周期ごとに親機サーチ（親機が送信する同期要求信号の受信）を試みる。これを所定回数繰り返し所定回数経過しても（所定の時間経過しても）同期要求信号を受信できない時は、タイマーＢ１よりも長い時間をカウントするタイマーＢ２によって親機サーチの間隔を長くして、親機１０から同期要求信号を受信するまではこのタイマーＢ２によって定まる第２の周期で親機サーチを繰り返し行う。このようにすれば子機２０の電力消費を抑制することができる。
【００４６】
なお、タイマー２１１による制御は以上説明した２段階の制御に限られるものではなく、更に長い周期を設定し、夜間に電話システムのメイン電源をオフするような場合には、数時間に１回程度親機サーチを行うように設定することもできる。
【００４７】
イベントＥ３において、停電が復旧し、あるいは、メイン電源が投入され、親機１０の電源がオンされると親機１０は同期要求信号の送出（同期要求）を再開する。そして子機２０はイベントＥ４において充電を開始する。同時に子機２０においてタイマー２１１に設定された第２の周期を第１の周期に戻し（タイマーＢ２からタイマーＢ１に戻し）、タイマーＢ１による第１の周期で親機サーチ（同期要求信号の連続受信）を行い、同期が確立される（イベントＥ３、イベントＥ４を参照）。同期が確立すると、図３の通常の動作シーケンスに復帰する。
【００４８】
図５は、以上説明した本発明の実施例にかかるデジタルコードレス電話システムの子機２０おける親機サーチの動作手順を示すフローチャートである。デジタルコードレス電話システムの電源が投入されると、ステップＳ１１の処理において、子機２０は、親機サーチのサーチ回数の初期化（例えば、サーチ回数を計数するカウンタ（図示せず）の計数値を０に初期化）し、ステップＳ１２の処理において親機サーチ、すなわち、親機１０から送信される同期要求信号の受信を所定の周期で連続して試み、ステップＳ１３の処理において親機１０を検出できたか判別する。連続受信の周期はタイマーＢ１による設定時間を用いることができる。
【００４９】
親機１０から同期要求信号を受信できれば親機１０が検出できたことになり、親機１０の検出を終了してステップＳ１４の処理に進む。ステップＳ１４の処理において親機１０から同期要求信号を受信し同期確立を試みる。ステップＳ１５の処理の処理においてタイマー２１１に設定されたタイマーＡをスタートしてステップＳ１６の処理に進み、当該設定された周期、すなわち、タイマーＡによるタイムアウトを監視する。タイムアウトになっていなければステップＳ１６のタイムアウトの監視処理を繰り返す。
【００５０】
ステップＳ１６の処理においてタイムアウトが検出されたならば、ステップＳ１７の処理に進んで親機１０からの同期要求信号を受信し、同期を確立する。ステップＳ１８の処理においては同期検出が行われ、同期が確立されていれば、ステップＳ１４の処理に戻りステップＳ１８までの処理を繰り返し、間欠的（タイマーＡにより定まる周期で）に親機１０からの同期要求信号を受信して同期を維持する。
【００５１】
ステップＳ１３の処理において親機検出ができない場合ステップＳ１９の処理に進む。このようなケースは、例えば、停電や電話システムのメイン電源が切断された場合である。ステップＳ１９の処理においては親機サーチのサーチ回数を「１」加算する。ステップＳ２１の処理においてはサーチ回数が所定回数「Ｎ」以下であるかを判別する。サーチ回数が「Ｎ」以下であればステップＳ２２の処理においてタイマー２１１はタイマーＢ１により設定された時間間隔を監視し、ステップＳ２４の処理においてタイマーＢ１のタイムアウトを検出する。タイムアウトになると、ステップＳ１２の処理に戻り親機１０が検出されるまで、ステップＳ１２からステップＳ２４の処理を繰り返す。
【００５２】
ステップＳ２４の処理でタイマーＢ１のタイムアウトが検出されなければ、ステップＳ２５の処理において子機２０への充電が開始されたかを検出する。充電開始が検出されない場合はステップＳ２４のタイムアウト監視に戻る。ステップＳ２５の処理において充電が開始されたことを検出すると、停電の復旧ないしはメイン電源の投入が推測できるので、ステップＳ１１の処理に戻りサーチ回数を初期化して最初の処理からの一連の処理が行われる。
【００５３】
親機１０が検出されないままステップＳ２１の処理においてサーチ回数が「Ｎ」に達する（すなわち、タイマーＢ１×サーチ回数による時間が経過する）と、タイマー２１１はタイマーＢ２に設定された第２の周期に変更する。そして、ステップＳ２４の処理においてタイマーＢ２のタイムアウトを検出する。タイムアウトになると、ステップＳ１２の処理に戻り親機１０が検出されるまで、ステップＳ１２からステップＳ２４の処理を繰り返す。
【００５４】
ステップＳ２４の処理でタイマーＢ１のタイムアウトが検出されなければ、ステップＳ２５の処理において子機２０への充電が開始されたかを検出する。充電開始が検出されない場合はステップＳ２４のタイムアウト監視に戻る。ステップＳ２５の処理において充電が開始されたことを検出すると、停電の復旧ないしはメイン電源の投入が推測できるので、ステップＳ１１の処理に戻りサーチ回数を初期化して最初の処理からの一連の処理が行われる。子機２０への充電開始は充電部２５０において検出することができる。
【００５５】
このように、本発明においては、親機不在の状態になった場合に子機２０が所定の第１の周期（タイマーＢ１）で親機サーチを行い、所定時間経過しても親機２０が検出できなかった場合、第１の周期（タイマーＢ１）よりも長い所定の第２の周期（タイマーＢ２）に親機サーチの周期を変更し、子機２０が充電開始を検出すると前記第１の周期に戻して親機サーチを行なう。このため、親機不在が所定の時間以上続いた場合、子機２０の消費電力を抑制することができるようになる。また、親機不在の状態が解消された場合には直ちに第１の周期（タイマーＢ１）に戻して親機サーチを行うので、親機１０に着信があった場合に、親機１０は直ぐに子機２０に着信接続することができるようになる。
【００５６】
このような構成によれば、夜間デジタルコードレス電話システムのメイン電源をオフにして夜間消費電力を抑制するようにしておいても、夜間に第２の周期で親機サーチをしていた子機は、朝の始業時にデジタルコードレス電話システムのメイン電源が投入されれば、第１の周期で親機サーチするようになるので、親機は着信があっても直ちに子機に着信を接続させることができるようになる。
【図面の簡単な説明】
【００５７】
【図１】本発明の実施例にかかるデジタルコードレス電話システムにおける親機の構成を示すブロック図である。
【図２】本発明の実施例にかかるデジタルコードレス電話システムにおける子機の構成を示すブロック図である。
【図３】親機が正常に制御チャネル信号を送出している場合の子機との間の通常の動作シーケンスを示すシーケンス図である。
【図４】親機不在状態で子機と親機間で行われる親機サーチの本発明の実施例における動作シーケンスを示す図である。
【図５】本発明の実施例にかかる子機における親機サーチの動作手順を示すフローチャートである。
【図６】親機不在状態で子機と親機間で行われる親機サーチの従来の動作シーケンスを示す図である。
【符号の説明】
【００５８】
２０４・・・表示部
２０５・・・操作部
２０６・・・ＡＣアダプタ
２０７・・・電源部
２０８・・・メモリ部
２１０・・・制御部
２１１・・・タイマー
２１４・・・ＡＤ／ＤＡ変換部
２１５・・・信号切替部
２１６・・・アンプ部
２１７・・・Ｉ／Ｏポート
２２１・・・変調回路
２２２・・・周波数シンセサイザー
２２３・・・復調回路
２２４・・・送信アンプ
２２５・・・アンテナ切替部
２２６・・・受信アンプ
２２７・・・アンテナ
２２８・・・ＳＰ（スピーカ）
２３０・・・レシーバ
２５０・・・充電部
【図１】
2007288598.tif 000003
【図２】
2007288598.tif 000004
【図３】
2007288598.tif 000005
【図４】
2007288598.tif 000006
【図５】
2007288598.tif 000007
【図６】
2007288598.tif 000008